(57)【要約】【課題】寝たきりの病人等、介護を必要とする人の着替えを容易にするために、上着は腕部分とそれにつながる胸部分を、ズボンは足部分を、それぞれ目の大きいチャックによって全開閉可能にした介護用パジャマを提供する。【解決手段】パジャマの上着においては、袖口から襟元まで袖の前面側のほぼ中心を通る直線の切れ目を入れ、パジャマのズボンにおいては、左右前身頃のそれぞれに、膝頭を避け、センターより少し外側の位置にほぼ直線の切れ目をウエストから裾まで入れ、それぞれにおいて、両端より７センチメートルほどのところまでをチャックによって全開閉可能とし、筒状の部分をなくせるようにしたことを特徴とする。なお、パジャマ下着はズボンの形状のみではなく、ウエスト部分をマジックテープによって止める、全開閉可能の巻きスカート状のものも可能とする。【選択図】　図１
2004084151.tif 000002
【特許請求の範囲】
【請求項１】
パジャマの上着においては、袖口から襟元まで、袖の前面側のほぼ中心を通る直線の切れ目を入れ、パジャマのズボンにおいては、左右前身頃に、ウエストから裾まで膝頭を避けてセンターより少し外側の位置にほぼ直線の切れ目を入れ、上着ズボンともに各切れ目の両端より７センチメートルほどのところまでを目の大きいチャック（各下止まり（箱）は上着は袖口、ズボンは裾とし、チャックの裏には綾テープをつけることとする）によって全開閉可能とし、筒状の部分をなくすことができる介護用パジャマ。なお、パジャマ下着はズボンの形状のみではなく、ウエスト部分をマジックテープによって止める、全開閉可能の巻きスカート状のものも可能とする。
【発明の詳細な説明】
【０００１】
【発明の属する技術分野】
この発明は、パジャマの腕および足等、筒状となっている部分を全開閉可能にする介護用パジャマに関するものである。
【０００２】
【従来の技術】
従来の介護用パジャマは、（イ）上下一体となって足首部分から前中心線をとおり喉元まで１本のチャックがついているもの、（ロ）上下別であり、上着は前中心線および胸から袖口にかけて計３箇所、もしくは脇部分にもチャックがついているもの。ズボンは前中心のみもしくは足首部分から前中心部分を通り反対側の足首部分まで１本のチャックがついているもの、または両脇にそれぞれチャックがついているものであった（チャックではなくマジックテープのものもある）。
【０００３】
【発明が解決しようとする課題】
これは次のような欠点があった。以下、従来の技術における（イ）（ロ）の分類に分けて述べる。
（イ）▲１▼　上着相当部分もしくはズボン相当部分のみ汚れても全体を着替えさせなければならず、着替えさせる労力が要求され、また、洗濯物の量が増える。
▲２▼　チャックのついていない方の足を先に通さなくてはならないなど脱ぎ着する順序が決まっており、被介護者の左右又は両方の腕や足が硬縮している場合には腕や足を通しにくい。
▲３▼　この形で多く利用されているチャックは、被介護者が不必要に開閉しないよう持ち手部分をはずすことのできるタイプが多いが、着替えにあたってその都度持ち手部分の装着を必要とすることはかえって介護者の手間となることが多く、外見上も拘束服のようなイメージを与える。
（ロ）▲１▼　上着の脇がチャックの場合、自分では動くことができず体位交換を必要とする被介護者においては、横を向いて寝た際に体の下になる可能性が高く、体にあたって床ずれの原因ともなる。
▲２▼　上着は前中心線および胸から袖口にかけて計３箇所、もしくは脇部分にもチャックがついている場合、チャック使用部分が多すぎる結果、当該形状のパジャマを扱いなれていない介護者や、高齢者の多い介護者に混乱をもたらす原因ともなる。
▲３▼　ズボンの前中心のみチャックの場合、足が硬縮している被介護者においては、着替えの際に介護者が被介護者の足をもちあげてズボンを通さなければならず労力を要する。
▲４▼　ズボンの足首部分から前中心部分を通り反対側の足首部分まで１本のチャックがついているもの、または両脇にそれぞれチャックがついているものは、上述（ロ）▲１▼と同様に体位交換の際に体にあたり床ずれの原因となるおそれがある。
さらに、（イ）（ロ）ともに、
▲１▼　上下どちらからも開閉可能なチャックが用いられていることが多いが、高齢者の多い介護者にとってはかえって困難の原因ともなる。
▲２▼　使用されているチャックは目の細かい物が多いが、かみ合わせが難しく同様に困難の原因となる。
▲３▼　チャックではなくマジックテープのものもあるが、腕や足等の長い部分がマジックテープだと手間がかかり面倒である。
▲４▼　双方ともにパジャマの汚れを可及的に防ぐために襟がついていないことが多いが、襟がある方が体温調節の困難な被介護者の汗を吸い、外見上も通常のパジャマに近い。
▲５▼　体位交換を必要とする被介護者は、ズボン部分の脇縫いがあたることによって床ずれを生じることがある。
▲６▼　切れ目の両端ぎりぎりまでチャックが付いていることが多く、丈の調節がきかない物が多いが、リハビリをする際にはある程度丈の調節がきく方が使い勝手が良い。
▲７▼　ズボンのウエスト部分のゴムがきつめに作られているものが多いが、被介護者に合わせたウエストサイズの調整ができず、腹筋の弱っている被介護者の場合ゴムによる圧迫で内臓に負担をかけるおそれもある。
本発明は、これらの欠点を除くためになされたものである。
【０００４】
【課題を解決するための手段】
パジャマの上着においては（１）、左右ともに袖口（２ａ、２ｂ）から前身頃の襟元（３ａ、３ｂ）まで、袖の前面側のほぼ中心を通る直線の切れ目を入れ（４ａ、４ｂ）、両端より７センチメートルほどのところまでを目の大きいチャックによって全開閉可能とする（５ａ、５ｂ）。チャックの下止まり（箱）は袖口とし（６）、チャックの裏には綾テープをつけることとする（７）。襟の合わせは喉元より５、６センチメートルほどの位置とする（８）。また前身頃の左右の合わせはユニバーサルボタン（留め外しがしやすい特殊なボタン）を使用し、ボタンの位置は３箇所とする（９）。
パジャマのズボンにおいては（１０）脇縫いをなくし、左右前身頃に、ウエスト（１１ａ、１１ｂ）から裾まで（１２ａ、１２ｂ）、膝頭を避け、センターより少し外側の位置にほぼ直線の切れ目を入れ（１３ａ、１３ｂ）、両端より７センチメートルほどのところまでを目の大きいチャックによって全開閉可能とする（１４ａ、１４ｂ）。チャックの下止まり（箱）は裾とし（１５）、チャックの裏には綾テープをつけることとする（１６）。チャックで切れている箇所以外のウエスト部分にはホールボタンゴムを入れ（１７）、ボタンで留めるようにする（１８）。股部分には力布をあてる（１９）。
なお、パジャマ下着はズボンの形状のみではなく、ウエスト部分をマジックテープによって止める（２１ａ、２１ｂ）、全開閉可能の巻きスカート状のものも可能とする（２０）。ウエスト部分にはゆるめにゴムを入れる（２２）。
本発明は、以上のような構成よりなる介護用パジャマである。
【０００５】
【発明の実施の形態】
以下、本発明の実施の形態について説明する。
パジャマの上着においては（１）、左右ともに袖口（２ａ、２ｂ）から前身頃の襟元（３ａ、３ｂ）まで、袖の前面側のほぼ中心を通る直線の切れ目を入れ（４ａ、４ｂ）、両端より７センチメートルほどのところまでを目の大きいチャックによって全開閉可能とする（５ａ、５ｂ）。チャックの下止まり（箱）は袖口とする（６）。パジャマのズボンにおいては（１０）、左右前身頃に、ウエスト（１１ａ、１１ｂ）から裾まで（１２ａ、１２ｂ）、膝頭を避け、センターより少し外側の位置にほぼ直線の切れ目を入れ（１３ａ、１３ｂ）、両端より７センチメートルほどのところまでを目の大きいチャックによって全開閉可能とする（１４ａ、１４ｂ）。下止まり（箱）は裾（１５）とする。また、パジャマ下着はズボンの形状のみではなく、ウエスト部分をマジックテープによって止める（２１ａ、２１ｂ）、全開閉可能の巻きスカート状のものも可能とする（２０）。
本発明は、以上のような構造でこれを使用するときは、被介護者の状況に応じて必要部位のチャックを予め開閉しておき、脱ぎ着させる。
その結果、被介護者の腕や足が硬縮している場合でも、容易に着替えをさせることができる。
【０００６】
【発明の効果】
本発明には以下の効果がある。
（イ）　本パジャマに付属するチャックを、予め、被介護者の必要に応じて部位ごとに開閉しておき脱ぎ着させる結果、被介護者の腕や足が硬縮している場合でも、容易に着替えをさせることができる。寝たきりの被介護者の場合でも、体位交換の要領で着替えが容易にできる。
（ロ）　チャックの位置を布の両端から７センチメートルひかえることで、チャック開閉時の持ちしろとなり、チャックの開閉が容易となり、丈の調節もできる。
（ハ）　襟があることで、体温調節の困難な被介護者の汗を吸い取りやすくし、また、保温が必要な際には保温にも役立つ。
（ニ）　チャックの下止まり（箱）を裾と袖口にすることで、足首・手首を包む形でかみ合わせればよいため、分りやすく混乱しにくい。
（ホ）　チャックの裏に綾テープをつけることで床ずれ防止等皮膚の弱い被介護者の負担を防ぐ。
（ヘ）　上着は体温測定等のため胸元を開くことが多いので、チャックの下止まり（箱）を袖口とすることで必要な程度だけチャックを開閉することができる。
（ト）　上着の左右前身頃の合わせにユニバーサルボタンを使うことにより、指先だけでも動く被介護者自身にも、リハビリの一環としてボタンの留め外しをしてもらえる。
（チ）　上着の襟合わせの位置を深めにすることで、被介護者が喉を切開している場合でも清潔を保ちやすい。
（リ）　ズボンはおむつ（排泄）の具合を見るために開閉することが多いので、チャックの始点を裾とすることで、必要な程度だけチャックを開閉することができる。
（ヌ）　ズボンの切れ目の位置を、膝頭を避け、センターより少し外側の位置とすることで膝の曲げ伸ばしといったリハビリを行う際に動きやすくなる。
（ル）　使用するチャックの目を大きめにすることで、介護者が高齢の場合でもチャックの合わせが容易となる。
（ヲ）　ズボンの股部分に力布をあてることで、体位交換や車椅子に移るとき等パジャマをつかんで体を移動させるときにパジャマの布にかかる力を分散し、パジャマの綻びを防ぐ。
（ワ）　パンツの脇縫いをなくしたことで、縫い目が当たることによって生じる床ずれを防ぐことができる。
（カ）　ウエストのゴムをホールボタンゴムにすることで、被介護者に合わせたウエストサイズ調整を可能とし、ウエスト部分の圧迫を防ぐことができる。
（ヨ）　被介護者が完全に寝たきり状態である場合、ズボンの形状ではなく、巻きスカート状にすることで、おむつ（排泄）の取り替えに伴うズボンの脱ぎ着の手間を省き簡単にできるようになる。
（タ）　外見上も通常のパジャマに近く、被介護者、介護者の精神的な負担を減らすことができる。
【図面の簡単な説明】
【図１】本発明のパジャマ上着部分の平面図である。
【図２】本発明のパジャマ上着部分の展開図である。
【図３】本発明のズボン状パジャマ下着の平面図である。
【図４】本発明のズボン状パジャマ下着の展開図である。
【図５】本発明の巻きスカート状パジャマ下着の平面図である。
【図６】本発明の巻きスカート状パジャマ下着の展開図である。
【符号の説明】
１　　上着
２　　袖口の切れ目位置（ａ、ｂは左右それぞれを指すこととする。）
３　　襟元の切れ目位置（ａ、ｂは左右それぞれを指すこととする。）
４　　上着の切れ目の全体位置（ａ、ｂは左右それぞれを指すこととする。）
５　　上着のチャックの全体位置（ａ、ｂは左右それぞれを指すこととする。）
６　　上着のチャックの下止まり（箱）位置
７　　上着のチャック裏の綾テープ
８　　襟の合わせの位置
９　　ユニバーサルボタンによる前身頃の左右の合わせ箇所
１０　ズボン状パジャマ下着
１１　ウエストの切れ目位置（ａ、ｂは左右それぞれを指すこととする。）
１２　裾の切れ目位置（ａ、ｂは左右それぞれを指すこととする。）
１３　ズボンの切れ目の全体位置（ａ、ｂは左右それぞれを指すこととする。）
１４　ズボンのチャックの全体位置（ａ、ｂは左右それぞれを指すこととする。）
１５　ズボンのチャックの下止まり（箱）位置
１６　ズボンのチャック裏の綾テープ
１７　ズボンのホールボタンゴム入れ位置
１８　ホールボタンゴムを留めるボタン位置
１９　股部分の力布があてられる箇所
２０　巻きスカート状パジャマ下着
２１　巻きスカート状パジャマ下着のマジックテープの位置（ａ、ｂは右前身頃、左前身頃の合わせ位置を指すこととする。）
２２　巻きスカート状パジャマ下着のゴム入れ位置
【図１】
2004084151.tif 000003
【図２】
2004084151.tif 000004
【図３】
2004084151.tif 000005
【図４】
2004084151.tif 000006
【図５】
2004084151.tif 000007
【図６】
2004084151.tif 000008